(57)【要約】【課題】リラクゼーションショップやスポーツジム等に設置される低圧室には、常時、不特定多数の人が入室するが、冬季のインフルエンザ流行時期になると低圧室入室者は知らず知らずにインフルエンザに空気感染するおそれがある。そうなると、本来、健康を目指すべき低圧室が病原菌交換の場にもなりかねない。そこで、低圧室入室者が病原菌等による空気感染を心配せず安心して入室できる方策が必要となる。【解決手段】低圧室（１）の内部又は外部に送風機（４）と配管接続するフィルター（５）又は殺菌器（６）からなる除菌装置又は殺菌装置を設けて、前記低圧室（１）内の空気を前記送風機（４）で強制循環して前記低圧室（１）内空気に含有する病原菌類を前記フィルター（５）又は前記殺菌器（６）で除菌又は殺菌することを特徴とする低圧室の除菌及び殺菌装置。【選択図】図１
2008122053.tif 000002
【特許請求の範囲】
【請求項１】
低圧に耐え得る低圧室筐体（２）と、前記低圧室筐体（２）内部の圧力を制御するための圧力制御機構（３）で構成する低圧室（１）において、前記低圧室（１）の内部又は外部に送風機（４）と配管接続するフィルター（５）からなる除菌装置を設けて、前記低圧室（１）内の空気を前記送風機（４）で強制循環して前記低圧室（１）内空気に含有する病原菌類を前記フィルター（５）で除菌することを特徴とする低圧室の除菌及び殺菌装置。
【請求項２】
低圧に耐え得る低圧室筐体（２）と、前記低圧室筐体（２）内部の圧力を制御するための圧力制御機構（３）で構成する低圧室（１）において、前記低圧室（１）の内部又は外部に送風機（４）と配管接続する殺菌器（６）からなる殺菌装置を設けて、前記低圧室（１）内の空気を前記送風機（４）で強制循環して前記低圧室（１）内空気に含有する病原菌類を前記殺菌器（６）で殺菌することを特徴とする請求項１記載の低圧室の除菌及び殺菌装置。
【発明の詳細な説明】
【技術分野】
【０００１】本発明は、高地の気圧環境を平地で実現するための低圧室に関するものである。
【背景技術】
【０００２】近年、高地環境における人の生理的意義の研究が盛んになってきている。ここで、高地とは、低酸素分圧環境を意味し、例えば平地で１気圧のとき高度１８００ｍ、２４００ｍではそれぞれ０．８０気圧、０．７４気圧となる。そして、高地でトレーニングを続けると長距離種目やマラソンなどで好成績をあげている事実が伝えられている。また、日常的に運動しない人にとっても高地に滞在することにより心肺機能をはじめとする生理機能の順応力が起こり、平地と同じ生活負荷であれば高地の方が相対的に高くなり、酸素運搬機能などの向上により細胞内のエネルギー代謝の効率化が期待される。【０００３】そこで、身体を鍛える運動を気圧利用をもって行うようにした運動用気密室（例えば、特許文献１参照）や、標高の高い土地で行う実際の高地トレーニングに代えて平地で高地訓練を可能とする減圧訓練施設（例えば、特許文献２参照）や、運動選手が長期滞在できる減圧施設（例えば、特許文献３参照）、さらに、地下又は半地下に設置された運動用大規模減圧訓練施設（例えば、特許文献４、５参照）がそれぞれ提案されているものの、これらは何れも運動することを前提とした大規模低圧室の構造に関するものである。【０００４】さらにまた、疑似高地トレーニングを提案した減圧訓練施設（例えば、特許文献６参照）が提案されているものの、これらも運動することを前提とした大規模低圧室の構造に関するものである。
【特許文献１】  特公平０２−４２９９２号公報
【特許文献２】  特開平０８−１１２３７３号公報
【特許文献３】  特開平１１−３３６３７３号公報
【特許文献４】  特許第２９１９１１１号公報
【特許文献５】  特開２０００−５４６６６号公報
【特許文献６】  実開平０２−１１８５７１号公報
【発明の開示】
【発明が解決しようとする課題】
【０００５】リラクゼーションショップやスポーツジム等に設置される低圧室には、常時、不特定多数の人が入室するが、冬季のインフルエンザ流行時期になると低圧室入室者は知らず知らずにインフルエンザに空気感染するおそれがある。そうなると、本来、健康を目指すべき低圧室が病原菌交換の場にもなりかねない。そこで、低圧室入室者が病原菌等による空気感染を心配せず安心して入室できる方策が必要となる。
【課題を解決するための手段】
【０００６】上記課題を解決するため、請求項１の発明においては、低圧に耐え得る低圧室筐体（２）と、前記低圧室筐体（２）内部の圧力を制御するための圧力制御機構（３）で構成する低圧室（１）において、前記低圧室（１）の内部又は外部に送風機（４）と配管接続するフィルター（５）からなる除菌装置を設けて、前記低圧室（１）内の空気を前記送風機（４）で強制循環して前記低圧室（１）内空気に含有する病原菌類を前記フィルター（５）で除菌する低圧室の除菌及び殺菌装置であることを特徴とする。【０００７】請求項２の発明においては、低圧に耐え得る低圧室筐体（２）と、前記低圧室筐体（２）内部の圧力を制御するための圧力制御機構（３）で構成する低圧室（１）において、前記低圧室（１）の内部又は外部に送風機（４）と配管接続する殺菌器（６）からなる殺菌装置を設けて、前記低圧室（１）内の空気を前記送風機（４）で強制循環して前記低圧室（１）内空気に含有する病原菌類を前記殺菌器（６）で殺菌する請求項１記載の低圧室の除菌及び殺菌装置であることを特徴とする。
【発明の効果】
【０００８】本発明によって、低圧室入室者は病原菌等による空気感染を心配せず安心して入室できるようになり、常時、不特定多数の人が入室するリラクゼーションショップやスポーツジム等に設置される低圧室においても、冬季のインフルエンザ流行時期等に知らず知らずにインフルエンザに空気感染するおそれが解消した。
【発明を実施するための最良の形態】
【０００９】図１に本発明の実施形態を示した系統図を、図２に本発明の他の実施形態を示した系統図を、それぞれ示す。
【実施例】
【００１０】低圧に耐え得る低圧室筐体（２）と、前記低圧室筐体（２）内部の圧力を制御するための圧力制御機構（３）で構成する低圧室（１）において、前記低圧室（１）の内部又は外部に送風機（４）と配管接続するフィルター（５）からなる除菌装置を設けて、前記低圧室（１）内の空気を前記送風機（４）で強制循環して前記低圧室（１）内空気に含有する病原菌類を前記フィルター（５）で除菌できるようにした。【００１１】本発明の実施形態では、送風機（４）は株式会社日立製作所製ボルテックスブロワー型式ＶＢＬ−００４−Ｅ２高気密シール対策仕様（最大風量毎分１．７立方メートル）を、フィルター（５）は日本無機株式会社製ＨＥＰＡフィルター型式ＡＴＭ−８−Ｐ−Ｅ４２（０．３μｍの粒子を９９．９７％以上補修可能なＨＥＰＡフィルター）を使用し、直径１．９４ｍ長さ３．０５ｍ全容積９．０立方メートルの低圧室を毎時１０回循環して除菌した。【００１２】本発明の他の実施形態について説明する。
低圧に耐え得る低圧室筐体（２）と、前記低圧室筐体（２）内部の圧力を制御するための圧力制御機構（３）で構成する低圧室（１）において、前記低圧室（１）の内部又は外部に送風機（４）と配管接続する殺菌器（６）からなる殺菌装置を設けて、前記低圧室（１）内の空気を前記送風機（４）で強制循環して前記低圧室（１）内空気に含有する病原菌類を前記殺菌器（６）で殺菌できるようにした。【００１３】本発明の他の実施形態では、送風機（４）は株式会社日立製作所製ボルテックスブロワー型式ＶＢＬ−００４−Ｅ２高気密シール対策仕様（最大風量毎分１．７立方メートル）を、殺菌器（６）は株式会社ワイズカンパニー製型式ＹＳ１２Ｒオゾン＆紫外線＆光触媒方式脱臭殺菌装置を使用し、直径１．９４ｍ長さ３．０５ｍ全容積９．０立方メートルの低圧室を毎時１０回循環して殺菌した。
【産業上の利用可能性】
【００１４】本発明によって、低圧室入室者は病原菌等による空気感染を心配せず安心して入室できるようになり、常時、不特定多数の人が入室するリラクゼーションショップやスポーツジム等に設置される低圧室においても、冬季のインフルエンザ流行時期等に低圧室入室者が知らず知らずにインフルエンザに空気感染するおそれが解消した。
【図面の簡単な説明】
【００１５】
【図１】本発明の実施形態を示した系統図である。
【図２】本発明の他の実施形態を示した系統図である。
【符号の説明】
【００１６】１      低圧室
２      低圧室筐体
３      圧力制御機構
４      送風機
５      フィルター
６      殺菌器
７      接続配管
８      吸引配管
９      吐出配管
【図１】
2008122053.tif 000003
【図２】
2008122053.tif 000004